(57)【要約】【課題】携帯端末装置にアダプタ装置を接続し、宅内の電気機器の制御を容易にする。【解決手段】アダプタ装置７は、携帯端末装置１からのメロディデータを入力するメロディ入力手段９と、メロディデータから電気機器６の制御内容を解析するメロディ解析手段１０とを有し、無線通信手段８を用いて解析された前記制御内容に対応した電文を電気機器６に送信することにより電気機器を制御する。【選択図】  図１
2004254103.tif 000002
【特許請求の範囲】
【請求項１】
携帯端末装置からのメロディデータを入力するメロディ入力手段と、前記メロディデータから電気機器の制御内容を解析するメロディ解析手段と、解析された前記制御内容に対応した電文を無線通信手段を用いて前記電気機器に送信して制御するアダプタ装置。
【請求項２】
携帯端末装置からのメロディデータを入力するメロディ入力手段と、メロディ入力手段に入力された音声データから電気機器の制御内容を解析する音声認識手段と、解析された前記制御内容に対応した電文を無線通信手段を用いて前記電気機器に送信して制御するアダプタ装置。
【請求項３】
携帯端末装置はネットワーク網と接続するためのＩＰ通信手段を有し、アダプタ装置は前記携帯端末装置が前記ネットワーク網と接続するための接続手順を記憶した接続手順記憶手段を有し、前記アダプタ装置を前記携帯端末装置に接続することにより、前記接続手順記憶手段に記憶された接続手順が前記携帯端末装置に送出され、前記ＩＰ通信手段を用いて前記ネットワーク網と接続する請求項１または２記載のアダプタ装置。
【請求項４】
無線通信手段は、特定小電力無線を用いた請求項１から３のいずれか１項記載のアダプタ装置。
【請求項５】
請求項１〜３のいずれか１項記載のアダプタ装置の手段の少なくとも一部としてコンピュータを機能させるためのプログラム。
【発明の詳細な説明】
【０００１】
【発明の属する技術分野】
本発明は、電気機器を手軽に制御できるようにしたアダプタ装置に関するものである。
【０００２】
【従来の技術】
従来、この種の制御装置としては、例えば図５は従来の制御装置を示すものである（特許文献１参照）。
【０００３】
図５において、１は携帯端末装置、２は表示手段、３は操作手段、４は制御手段、５は発光ダイオードを用いた赤外線通信手段、６は電気機器である。使用者が電気機器６を制御する場合、携帯端末装置１の表示手段２に表示された電気機器６の制御内容を確認し、テンキー等の操作手段３を操作して制御内容を選択する。そして、制御手段４は、赤外線通信手段５を用いて選択された制御内容に基づいた制御電文を電気機器６へ送信することにより、携帯端末装置１から電気機器６を制御する。
【０００４】
【特許文献１】
特開２００１−２７４８９９号公報
【０００５】
【発明が解決しようとする課題】
しかしながら、前記従来の構成では、発光ダイオード等の赤外線通信手段をあらかじめ携帯端末装置に備えておく必要があり、使用者が既に赤外線通信手段を備えていない携帯端末装置を所持している場合は、電気機器を制御することができない。また携帯端末装置は、様々なメーカーから数多くの機種が発売されており、携帯端末装置に内蔵されたプログラムから赤外線通信手段を用いるためには、それぞれのメーカーや機種に対応したプログラムを作成する必要があるという課題を有していた。
【０００６】
本発明は、前記従来の課題を解決するもので、使用者が既に所持している携帯端末装置を利用でき、かつ様々なメーカーから発売されている数多くの機種への適応が容易な電気機器を制御するためのアダプタ装置を提供することを目的としている。
【０００７】
【課題を解決するための手段】
前記従来の課題を解決するために、本発明のアダプタ装置は、携帯端末装置からのメロディデータを入力するメロディ入力手段と、前記メロディデータから電気機器の制御内容を解析するメロディ解析手段とを有する。
【０００８】
これによって、前記携帯端末装置から出力されたメロディデータを前記メロディ入力手段に入力することにより、前記アダプタ制御手段が無線通信手段を用いて、前記メロディデータに基づいた制御電文を前記電気機器に送信することにより前記電気機器を制御する。
【０００９】
【発明の実施の形態】
請求項１に記載の発明は、携帯端末装置からのメロディデータを入力するメロディ入力手段と、前記メロディデータから電気機器の制御内容を解析するメロディ解析手段とを有することにより、前記携帯端末装置から出力されたメロディデータを前記メロディ入力手段に入力することにより、前記アダプタ制御手段が前記メロディデータに基づいて前記電気機器を制御することとなり、使用者が既に所持している携帯端末装置を利用でき、かつ様々なメーカーから発売されている数多くの機種へ容易に適応をすることができる。
【００１０】
請求項２に記載の発明は、携帯端末装置からのメロディデータを入力するメロディ入力手段と、メロディ入力手段に入力された音声データから電気機器の制御内容を解析する音声認識手段とを有することにより、前記音声認識手段はメロディ入力手段に入力された音声データを解析し、アダプタ制御手段の制御により前記音声データに基づいて前記電気機器を制御することとなり、使用者は操作手段を用いて、表示手段に表示された制御内容を選択することにより電気機器を制御する必要がなく、音声を用いて容易に電気機器を制御することができる。例えば、携帯電話の声で電気機器を制御することができるので、外出先等からの遠隔制御システムが容易に構築でき、使用者の利便性を向上することができる。
【００１１】
請求項３に記載の発明は、携帯端末装置はネットワーク網と接続するためのＩＰ通信手段を有し、アダプタ装置は前記携帯端末装置が前記ネットワーク網と接続するための接続手順を記憶した接続手順記憶手段を有することにより、前記アダプタ装置が前記携帯端末装置に接続されることにより、前記接続手順記憶手段に記憶された接続手順が送出され、携帯端末装置が前記ネットワーク網と接続することとなり、使用者は携帯端末装置をインターネット網などのネットワーク網に容易に接続することができる。つまり携帯端末装置の操作手段を操作することなくインターネット網に接続することができるため、例えば、ネットワーク網に接続されたサーバーから、アダプタ装置のアップデータプログラムを自動的にダウンロードしたり、携帯端末装置から電気機器を制御するためのプログラムや携帯端末装置の表示手段に表示する電気機器の制御可能な項目等をネットワーク網に接続されたサーバーから容易のダウンロードすることができる。さらに使用者の好みのＷｅｂサイトを登録しておけば、自動的にサイトにアクセスするようにもでき、使い勝手の向上を図ることができる。
【００１２】
請求項４に記載の発明は、無線通信手段は、例えば、４００ＭＨｚ帯の特定小電力無線を用いることにより、送信出力が１２ｍＷ程度であり、かつ周波数が比較的低いため、アダプタ装置と電気機器の間に障害物がある場合や、電気機器がアダプタ装置と離れた部屋に設置されている場合でも電気機器を制御することができる（２．４ＧＨｚ帯や、５ＧＨｚ帯の無線媒体と比較して波長が長く、電波の直進性が高くないため、電波到達範囲がひろくなる）。
【００１３】
請求項５に記載の発明は、請求項１〜３のいずれか１項記載のアダプタ装置の手段の少なくとも一部としてコンピュータを機能させるためのプログラムである。そして、プログラムであるのでマイコンを用いたり携帯電話内蔵のソフトウエア実行手段と連携して本発明のアダプタ装置の少なくとも一部を容易に実現することができる。また記録媒体に記録したり通信回線を用いてプログラムを配信したりすることでプログラムの配布やインストール作業が簡単にできる。
【００１４】
【実施例】
以下本発明の実施例について、図面を参照にしながら説明する。
【００１５】
（実施例１）
図１は、本発明の第１の実施例におけるアダプタ装置のブロック図を示すものである。
【００１６】
図１において、従来例と同一符号は同一機能を有している。７はアダプタ装置であり、電気機器６に制御電文を送信することにより電気機器６を制御する。また携帯端末装置１とアダプタ装置７は着脱可能な構成となっている。アダプタ装置７において、８は電気機器６と無線で通信を行う無線通信手段、９は携帯端末装置１から出力されるメロディデータを入力するメロディ入力手段、１０はメロディ入力手段９に入力されたメロディデータから電気機器６の制御内容を解析するメロディ解析手段、１１は無線通信手段８を用いてメロディ解析手段１０で解析された制御内容に対応した制御電文を電気機器６に送信するアダプタ制御手段である。携帯端末装置１において、１２は制御手段４の制御により、表示手段２から操作手段３の操作により選択された制御内容に対応したメロディデータを出力するメロディデータ出力手段である。
【００１７】
以上のように構成されたアダプタ装置７について、以下その動作、作用を説明する。携帯端末装置１における表示手段２には、制御手段４の制御により電気機器６の制御内容が表示されている。使用者は、表示手段２から操作手段３を操作して制御したい内容を選択する。制御手段４は操作手段３の操作により選択された制御内容をあらかじめ決められたメロディデータに変換し、メロディ出力手段１２を用いてアダプタ装置７に対して送信する。一方、アダプタ装置７におけるメロディ入力出力手段９はアダプタ制御手段１１の制御により、このメロディデータを受信し、メロディ解析手段１０を用いてメロディデータから制御内容を解析し、この解析した結果に基づいて電気機器６を制御するための電文を組み立て、無線通信手段８を用いて電気機器６に対して制御電文を送信する。これによりアダプタ装置７から電気機器６を制御する。
【００１８】
また、メロディ出力手段１２から出力されるメロディデータは着信メロディとし、アダプタ装置７におけるメロディ解析手段１０は、この着信メロディに基づきあらかじめ決められた電気機器６を制御するように構成し、宅外から電話をかけると、この時の電話番号に対応した着信メロディが携帯端末装置１のメロディ出力手段１２から出力され、電気機器６が制御されるようにすることもできる。
【００１９】
例えば特定の携帯電話から電話をかけると自宅にある携帯端末装置の着信音が鳴って家電機器が「帰宅準備モード」で制御される。帰宅準備モードとはエアコンや照明、暖房便座付きトイレの電源がオンとなるモードである。もちろんこれとは逆に「外出準備モード」があって特定の携帯電話から電話をかけるとエアコンや照明、テレビなどの電源をオフとしてもよい。
【００２０】
なお、本実施例では、携帯端末装置１からアダプタ装置７を経由して電気機器６を制御する方法について説明したが、携帯端末装置１に備えたメロディ出力手段１２をアダプタ装置７が備え、アダプタ装置７に備えたメロディ入力手段９およびメロディ入力手段１０を携帯端末装置１が備えた構成とすることにより、アダプタ装置７を経由して、電気機器６の制御状態を携帯端末装置１に表示させることもできる。例えば、先の説明と同様に、電気機器６から受信した制御内容をあらかじめ決められたメロディデータに変換し、メロディ出力手段を用いて携帯端末装置１に対して送信する。一方、携帯端末装置１におけるメロディ入力手段は、制御手段４の制御により、このメロディデータを受信し、メロディ解析手段を用いてメロディデータから制御内容を解析し、携帯端末装置１における表示手段２に電気機器６の制御内容を表示させる。
【００２１】
あるいは、携帯端末装置１がシリアルなどの外部インターフェイスを有しており、アダプタ装置７が携帯端末装置１の外部インターフェイスに接続されていた場合、アダプタ装置７はこの外部インターフェイスを介して携帯端末装置１へ制御内容を送信したり、携帯端末装置１が有する電話回線接続機能やインターネット接続機能、メール送信機能などを利用して、使用者があらかじめ設定しておいた通報先に制御内容を報知するように構成することもできる。
【００２２】
したがって、携帯端末装置１から出力されたメロディデータをメロディ入力手段９に入力することにより、アダプタ制御手段１１の制御によりメロディデータに基づいて電気機器６を制御することとなり、使用者は既に所持している携帯端末装置１を利用して、手軽に電気機器６を制御することができる。また様々なメーカーから発売されている数多くの機種毎に携帯端末装置１のプログラムを開発する必要がなくなる。
【００２３】
また、図２に示すようにアダプタ装置７において、図１のメロディ解析手段１０に代わり音声認識手段１３を有し、音声認識手段１３はメロディ入力手段９に入力された音声データを解析し、アダプタ制御手段１１の制御により前記音声データに基づいた制御電文を電気機器６に送信することにより、先の実施例と同様に電気機器６を制御するようにすることもできる。
【００２４】
したがって、使用者は操作手段３を用いて、表示手段２に表示された制御内容を選択することにより電気機器６を制御する必要がなく、音声を用いて容易に電気機器６を制御することができ、使用者の利便性を向上することができる。
【００２５】
（実施例２）
図３は、本発明の第２の実施例におけるアダプタ装置７におけるブロック図を示すものである。実施例１と同一符号は同一機能を有し、実施例１と異なるところは、携帯端末装置１は、ＩＰアドレスを用いてネットワーク網を経由してサーバーなどと通信を行うＩＰ通信手段１４と、アダプタ装置と通信を行う携帯端末通信手段１５とを有し、アダプタ装置７は、携帯端末装置と通信を行うアダプタ通信手段１６と、携帯端末装置１がネットワーク網を経由してサーバーなどに接続するための接続手順を記憶した接続手順記憶手段１７とを有し、携帯端末装置１はネットワーク網に接続されたサーバーおよび宅内に設置された制御装置を経由して電気機器６を制御できる構成とした点である。
【００２６】
図４は実施例の動作を示す通信シーケンスである。
【００２７】
以上のように構成されたアダプタ装置について、以下その動作、作用を説明する。
【００２８】
アダプタ装置７が携帯端末装置１に接続されると、アダプタ装置７におけるアダプタ制御手段１１がアダプタ通信手段１６を用いて携帯端末装置１に接続されたことを検出する。そして接続手順記憶手段１７に記憶された接続手順プログラムを携帯端末装置１に出力する。ここでは、接続先のサーバーのＩＰアドレス（ＵＲＬ）を出力する（ｓ１）。携帯端末装置１における制御手段４は携帯端末通信手段１５を介してこの信号を受信すると、この信号に基づき、ＩＰ通信手段１４を用いてネットワーク網を介してサーバーに接続要求を送信する（ｓ２）。サーバーは送信先ＩＰアドレスが自装置のＩＰアドレスと一致した場合はこの接続要求の受信を行い、携帯端末装置１に対して電気機器６の制御可能な内容の電文を返信する（ｓ３）。携帯端末装置１は制御手段４の制御によりＩＰ通信手段１４を用いてこの返信電文を受信し、制御手段４が表示手段２を用いてＨＴＭＬ形式の言語を表示できるブラウザ等を使用して表示する（ｓ４）。そして使用者は選択手段３を用いてこの表示手段２に表示された電気機器６の制御内容から制御したい項目を選択する（ｓ５）。そして制御手段４はこの選択された内容を前述と同様にサーバーに送信する（ｓ６）。サーバーはこの電文を受信し、制御内容を宅内に設置された電気機器６を制御するための制御装置に送信する（ｓ７）。
制御装置はこの制御内容を含んだ制御電文を電気機器６に対して送信することにより電気機器６が制御される。
【００２９】
なお、本実施例では携帯端末装置１がすでにネットワーク網に接続されているとして説明したが、まだネットワーク網に接続されておらずダイアルアップを用いて接続する場合は、アダプタ装置７から携帯端末装置１にダイアルＮｏ、ユーザーＩＤおよびパスワードを送出することにより自動的に携帯端末装置１がネットワーク網に接続するようにすることもできる。
【００３０】
また、携帯端末装置１にあらかじめダイアルＮｏ、ユーザーＩＤおよびパスワードが記憶されている場合は、アダプタ装置７は携帯端末装置１に対してそれらを用いてネットワーク網に接続する旨の信号を送出することにより携帯端末装置１がネットワーク網に接続するようにすることもできる。
【００３１】
なお、アダプタ装置７にスイッチ（あるいはボタン）などを設け、アダプタ制御手段１１がスイッチからの信号を受信することで図４におけるｓ１で示す動作を開始するようにすることもできる。また、スイッチに携帯端末装置１やアダプタ装置７の電源のＯＮ／ＯＦＦ、携帯端末装置１からネットワーク網への接続の禁止／解除、携帯端末装置１やアダプタ装置７の低消費電力モードへの移行／解除等の機能を持たせるように構成することもできる。
【００３２】
したがって、使用者は携帯端末装置１をインターネット網などのネットワーク網に接続するための方法を覚えておく必要がない。また、携帯端末装置１の操作手段３を操作する必要がないため入力間違い等が発生せず、ネットワーク網に容易に接続することができる。
【００３３】
以上説明したように、使用者は宅内では携帯端末装置１にアダプタ装置７を接続し、アダプタ装置７が有する無線通信手段８を用いて電気機器６を制御でき、宅外では携帯端末装置１にアダプタ装置７を接続することにより、携帯端末装置１がネットワーク網などに接続するための補助装置として使用することができる。
【００３４】
なお、先の実施例１および２において、メロディ解析手段１０には、メロディデータに対応した電気機器６の制御内容が、工場出荷時などに業者（あるいはメーカーや販売店等）によりあらかじめ設定しておくことが考えられる。また使用者がアダプタ装置７をパソコン等に接続することにより設定や変更を行うように構成することもできる。
【００３５】
なお、先の実施例１および２において、携帯端末装置１におけるメロディ出力手段１３はイヤホンジャックを有したスピーカーなどが考えられ、このイヤホンジャックとメロディ入力手段９とを有線で接続し、メロディデータを携帯端末装置１からアダプタ装置７に送信する方法が考えられる。あるいは、アダプタ装置７は携帯端末装置１が有する外部通信インターフェイス（ＲＳ２３２Ｃ、ＰＣカード、ＳＤカードのインターフェイス）に接続され、この外部通信インターフェイスを経由してメロディデータを携帯端末装置１からアダプタ装置７に送信する方法が考えられる。
【００３６】
なお、先の実施例１および２において、携帯端末装置１としては携帯電話、ＰＨＳ、パソコンおよびＰＤＡ等が考えられる。
【００３７】
なお、先の実施例１および２において、メロディデータとしては、クラシックやポップ等の音楽やブザー音のようなものが考えられる。
【００３８】
なお、先の実施例１および２において、メロディ解析手段１０がメロディデータから制御内容を解析する方法として、メロディデータの周波数から解析する方法や、メロディデータを電圧に変換しこれをＡ／Ｄ変換し解析する方法や、ブザーなどが発生する回数やパターンから解析する方法等が考えられる。
【００３９】
なお、先の実施例１および２において、先に述べた制御内容としては、電気機器６への状態設定（電源のＯＮ／ＯＦＦ等）、現在の電気機器６の状態取得（エアコンなら、設定温度等）、あるいは電気機器６の制御履歴や故障情報の取得などが考えられる。
【００４０】
なお、先の実施例１および２において、ＩＰアドレスを用いた通信とは、例えば、ＯＳＩ基本参照モデルのデータリンク層にＥｔｈｅｒｎｅｔ（Ｒ）フレームやＩＥＥＥ８０２．３フレームを用い、ネットワーク層にＩＰアドレスを用いたＩＰ（Ｉｎｔｅｒｎｅｔ  Ｐｒｏｔｏｃｏｌ）が考えられ、ネットワーク層の上位層はＴＣＰやＵＤＰ、アプリケーション層にはＨＴＴＰやＦＴＰやｔｅｌｎｅｔを用いることが考えられる。またアプリケーション層のプロトコルは独自に開発することもできる。
【００４１】
なお、先の実施例１および２において、ネットワーク網としてはインターンネット網や専用線等のＩＰアドレスを用いて通信を行う通信ネットワーク網が考えられる。
【００４２】
なお、先の実施例１および２において、アダプタ装置７は無線通信手段８を用いて電気機器６に対して無線で制御電文を送信するとしたが、このときの制御電文のフォーマットや通信手順をエコーネット規格やＨＯＭＥＲＦ規格やＩＥＥＥ８０２規格やＢｌｕｅｔｏｏｔｈ、ＩＲＤＡ規格等の標準規格に準拠し、異なるメーカーの電気機器を使用できるようにすることにより、拡張性の高いシステムを構築することもできる。また、無線通信手段８が用いる無線媒体として特定小電力無線（例えば、４００ＭＨｚ帯）を用いることにより、２．４ＧＨｚ帯や、５ＧＨｚ帯の無線媒体と比較して波長が長く、電波の直進性が高くないため、電波到達範囲がひろくなり、アダプタ装置７と電気機器６の間に障害物がある場合や、電気機器６がアダプタ装置７と離れた部屋に設置されている場合でも電気機器６を制御することができる。
【００４３】
なお、先の実施例１および２において、電気機器６としては、例えば、空調機器、照明、洗濯機、加湿器、給湯機、炊飯器、ビデオテープレコーダ、ＤＶＤレコーダ、テレビ、セキュリティ機器、冷蔵庫、電気温水機、コーヒーポット、時計、洗濯機、植木用水やり機、ペット用餌やり機、食器洗い機、生ゴミ処理機、ＩＨ調理器等が考えられる。
【００４４】
なお、携帯端末装置１には、ＪＡＶＡ（Ｒ）などで記述されたアプリケーションプログラムをあらかじめ実行しておくことにより、先の実施例１および２で述べた動作を行わせる方法が考えられる。
【００４５】
なお、先の実施例１および２において、アダプタ装置７は携帯端末装置１と着脱可能な構成として説明したが、メロディ入力手段９をマイク、メロディ出力手段１２をスピーカーというように構成し、アダプタ装置７を携帯端末装置１に取り付けることなく電気機器６を制御するように構成することもできる。
【００４６】
【発明の効果】
以上のように、本発明によれば、携帯端末装置から出力されたメロディデータをメロディ入力手段に入力することにより、アダプタ制御手段の制御によりメロディデータに基づいて電気機器を制御することとなり、使用者は既に所持している携帯端末装置を利用して、手軽に電気機器を制御することができる。また、様々なメーカーから発売されている数多くの機種毎に携帯端末装置のプログラムを開発する必要もない。また、アダプタ装置は携帯端末装置と別体となっているため、電気機器の制御が必要なときのみにアダプタ装置を使用することができ、使い勝手の向上を図ることができる。さらに、電気機器の制御が必要な人がアダプタ装置を購入すればよく、携帯端末装置のコストも低減できる。
【図面の簡単な説明】
【図１】本発明の実施例１におけるアダプタ装置のブロック図
【図２】本発明の実施例１におけるアダプタ装置のブロック図
【図３】本発明の実施例２におけるアダプタ装置のブロック図
【図４】本発明の実施例２における通信シーケンス図
【図５】従来の携帯端末装置のブロック図
【符号の説明】
１  携帯端末装置
２  表示手段
３  操作手段
４  制御手段
５  赤外線通信手段
６  電気機器
７  アダプタ装置
８  無線通信手段
９  メロディ入力手段
１０  メロディ解析手段
１１  アダプタ制御手段
１２  メロディ出力手段
１３  音声認識手段
１４  ＩＰ通信手段
１５  携帯端末通信手段
１６  アダプタ通信手段
１７  接続手順記憶手段
【図１】
2004254103.tif 000003
【図２】
2004254103.tif 000004
【図３】
2004254103.tif 000005
【図４】
2004254103.tif 000006
【図５】
2004254103.tif 000007